(57)【要約】【課題】治療の際に発生する水分や粉塵等が患者顔面に付着するのを十分に防ぐことができ、しかも患者の顔からのずれを抑えることができる歯科用フェイスカバーを提供する。【解決手段】患者の顔面の少なくとも目から口までを覆う大きさのシート２に、患者の口を露出させるための開口部３が形成されてなる歯科用フェイスカバー１において、シート２における患者の鼻に対応する部位に開口部３から鼻筋に沿うように所定長さの切込み４を設けるものとする。【選択図】図１
0003167636.tif 000002
【実用新案登録請求の範囲】
【請求項１】
患者の顔面の少なくとも目から口までを覆う大きさのシートに、患者の口を露出させるための開口部が形成されてなる歯科用フェイスカバーにおいて、
前記シートにおける患者の鼻に対応する部位に前記開口部から鼻筋に沿うように所定長さの切込みを設けることを特徴とする歯科用フェイスカバー。
【請求項２】
前記シートの両側部にそれぞれ患者の耳に掛けるための耳掛け部が設けられる請求項１に記載の歯科用フェイスカバー。
【請求項３】
前記耳掛け部は、前記シートにおける患者の耳に対応する部位に、上下に所定長さの切れ目が設けられることで形成されるものである請求項２に記載の歯科用フェイスカバー。
【請求項４】
前記耳掛け部は、前記シートにおける患者の耳に対応する部位に、上部が下部に比べて幅が広い長孔が設けられることで形成されるものである請求項２に記載の歯科用フェイスカバー。
【考案の詳細な説明】
【技術分野】
【０００１】
本考案は、歯科治療の際に飛散する水分や粉塵等が患者の顔面に付着するのを防止する歯科用フェイスカバーに関するものである。
【背景技術】
【０００２】
歯科治療の際には、歯科治療用器具の使用や口腔内の洗浄により、水分や粉塵等が口腔外へ飛散することがある。このような粉塵等の飛散を防止するために、一般的には、歯科用吸引装置（バキューム装置）が使用されている。
【０００３】
バキューム装置は、口腔の深い所、例えば奥歯の治療では極めて有効である。しかし、口腔の浅い所、例えば前歯群の治療に際しては、バキューム装置の効果の範囲を超えて、水分や粉塵等が口腔外へ飛散してしまう。このとき、飛散した水分や粉塵等は、患者の口腔周辺の顔面に飛び散って顔面を汚染する。
【０００４】
このことは、治療を受ける患者にとって不快であるばかりでなく、治療する歯科医の側にとっても患者顔面への飛散と汚染防止に気を遣うことで余分なストレスとなる。特に、化粧にこだわる女性患者にとって歯科受診の際の悩みともなる。
【０００５】
このような不快な現象を改善するものとして、例えば特許文献１，２にて提案されている歯科用フェイスカバーがある。
【先行技術文献】
【特許文献】
【０００６】
【特許文献１】実用新案登録第３１０１２５９号公報
【特許文献２】実用新案登録第３１１０９６４号公報
【０００７】
特許文献１に係る歯科用フェイスカバー５１は、図４（ａ）に示されるように、患者の顔面のほぼ下半分を覆う大きさのシート５２に、口部を露出させるための開窓部５３を形成してなるものである。この歯科用フェイスカバー５１においては、患者の顔面のほぼ下半分を覆い、開窓部５３を通して治療が行われることで、治療の際に発生する水分や粉塵等が患者顔面に付着するのを防ぐようにされている。
【０００８】
特許文献２に係る歯科用フェイスカバー６１は、図４（ｂ）に示されるように、患者の顔面の少なくとも目から口までを覆う大きさのフェイスカバー本体６２に開口部６３を形成してなるものであって、開口部６３は、口および鼻を露出させることができ、かつ鼻に掛けることが可能な開口形状とされている。この歯科用フェイスカバー６１においては、開口部６３を鼻に掛けるようにして患者の顔面の少なくとも目から口までを覆い、開口部６３を通して治療が行われる。
【０００９】
しかしながら、図４（ａ）に示される歯科用フェイスカバー５１では、シート５２が顔面にただ載っているだけであり、また特にシート５２が鼻にフィットしないため、治療の際、患者の顔からずれやすいという問題点がある。
これに対し、図４（ｂ）に示される歯科用フェイスカバー６１においては、開口部６３を鼻に掛けるようにされているので、治療の際、患者の顔からずれにいという利点がある。ところが、開口部６３を鼻に掛けるようにするために、開口部６３は鼻に掛けることが可能な開口形状とされている。このため、鼻が露出されることになり、治療の際に発生する水分や粉塵等の患者顔面への付着を十分に防ぐことができないという問題点がある。
【考案の概要】
【考案が解決しようとする課題】
【００１０】
本考案は、治療の際に発生する水分や粉塵等が患者顔面に付着するのを十分に防ぐことができ、しかも患者の顔からのずれを抑えることができる歯科用フェイスカバーを提供することを目的とするものである。
【課題を解決するための手段】
【００１１】
前記目的を達成するために、本考案による歯科用フェイスカバーは、
患者の顔面の少なくとも目から口までを覆う大きさのシートに、患者の口を露出させるための開口部が形成されてなる歯科用フェイスカバーにおいて、
前記シートにおける患者の鼻に対応する部位に前記開口部から鼻筋に沿うように所定長さの切込みを設けることを特徴とするものである（第１考案）。
【００１２】
本考案において、
前記シートの両側部にそれぞれ患者の耳に掛けるための耳掛け部が設けられるのが好ましい（第２考案）。
【００１３】
本考案において、
前記耳掛け部は、前記シートにおける患者の耳に対応する部位に、上下に所定長さの切れ目が設けられることで形成されるものであるとすることができる（第３考案）。
【００１４】
本考案において、
前記耳掛け部は、前記シートにおける患者の耳に対応する部位に、上部が下部に比べて幅が広い長孔が設けられることで形成されるものであるとすることができる（第４考案）。
【考案の効果】
【００１５】
本考案の歯科用フェイスカバーにおいては、患者の顔面の少なくとも目から口までを覆う大きさのシートに患者の口を露出させるために設けられる開口部を通して歯科治療が行われる。
患者の顔面を覆うシートには、患者の鼻に対応する部位に、開口部から鼻筋に沿うように所定長さの切込みが設けられる。シートを顔の上に載せると、シートにおける切込みの両側部分が、鼻の形状に合わせて撓み、鼻の表面に密着する。
本考案の歯科用フェイスカバーによれば、患者の顔面の口を除くほぼ全面がシートによって覆われるので、開口部を通して歯科治療が行われる際に発生する水分や粉塵等が患者の顔面に付着するのを十分に防ぐことができる。また、シートにおける切込みの両側部分が鼻に掛け止められるので、患者の顔からのずれを抑えることができる。
【００１６】
第２考案においては、シートの両側部にそれぞれ患者の耳に掛けるための耳掛け部が設けられる。これにより、歯科用フェイスカバーが患者の顔からずれるのを確実に防ぐことができる。
【００１７】
第３考案においては、シートにおける患者の耳に対応する部位に、上下に所定長さの切れ目が設けられることで耳掛け部が形成される。これにより、極めて簡易な構成で耳掛け部を設けることができる。
【００１８】
第４考案においては、シートにおける患者の耳に対応する部位に、上部が下部に比べて幅が広い細長の開口が設けられることで耳掛け部が形成される。これにより、耳掛け部を容易に耳に掛け止めることができる。また、耳掛け部を形成するための開口の形を見ることにより、シートの上下方向を容易に判断することができる。
【図面の簡単な説明】
【００１９】
【図１】本考案の第１の実施形態に係る歯科用フェイスカバーの平面図
【図２】第１の実施形態の歯科用フェイスカバーの使用態様説明図
【図３】本考案の第２の実施形態に係る歯科用フェイスカバーの平面図
【図４】従来技術の説明図
【考案を実施するための形態】
【００２０】
次に、本考案よる歯科用フェイスカバーの具体的な実施の形態について、図面を参照しつつ説明する。
【００２１】
〔第１の実施形態〕
図１には、本考案の第１の実施形態に係る歯科用フェイスカバーの平面図が示されている。
【００２２】
＜第１の実施形態の歯科用フェイスカバーの概略説明＞
図１に示される歯科用フェイスカバー１は、シート２に開口部３、切込み４および耳掛け部５，５がそれぞれ形成されてなるものである。
【００２３】
＜シートの説明＞
シート２は、患者の顔面の少なくとも目から口までを覆う大きさの四角形状の可撓性シートである。
シート２の素材としては、例えば紙、布、不織布などが挙げられる。好ましくは、若干透き通った不織布や、メッシュ状の不織布を用いるのがよい。このような不織布を素材とするシート２で目が覆われることにより、患者はシート２の小さな間隙から外部を見ることができる。これにより、患者は医師が治療している様子を見ることができるので、治療中でも不安を感じにくく、また医師の指示に対して適切に対応することができる。一方、患者の目から離れた外部の位置からでは上記の不織布を素材とするシート２で覆われた患者の目を実質的に見ることができない。これにより、医師等の外部にいる者と患者とは直接的に目と目が合うことがないので、お互いが治療中にストレスを感じることがない。つまり、治療中に患者および医師へ無駄な負担をかけることなく患者と医師とのコミュニケーションを図りやすくすることができる。
【００２４】
シート２の材料として、異なる材質の複数のシート材を積層したものを使用してもよい。この場合、少なくとも片面が患者の顔面に馴染む柔軟性のある素材からなるものであるのが好ましい。
例えば、シート２の材料として柔軟性の二層構造を有するものを採用する場合、非吸水性層を患者顔面側に、吸水性層を外部側にして使用するのがよい。こうすることで、歯科治療中に飛散した水分が比較的多量である場合でも吸水性層がその水分を吸収し、かつ非吸水性層がその水分の患者顔面への到達を阻止することが可能である。
また、非吸水性層を挟むようにその表面および裏面に吸水性層をそれぞれ積層した三層構造のものをシート２の材料として採用すれば、患者の顔面にシート２を被せる際、シート２の表面と裏面のかけ間違えを気にすることなく使用することができる。
なお、非吸水性層としては、例えばポリプロピレン（ＰＰ）層やポリビニルクロライド（ＰＶＣ）層、ポリエチレンテレフタレート（ＰＥＴ）層などが挙げられる。また、吸水性層としては、紙層や織布層、不織布層などが挙げられる。
【００２５】
＜開口部の説明＞
開口部３は、患者の口を露出させるためのものであり、シート２のほぼ中央に円形の孔を設けることで形成されるものである。孔の形状は、円形に限られず、楕円形、正方形、長方形、菱形、それらの組み合わせ形状、およびその他の形状であってもよい。
【００２６】
＜切込みの説明＞
切込み４は、シート２における患者の鼻に対応する部位に開口部３から鼻筋に沿うように上下方向に所定長さ切り込まれることで形成されるものである。
切込み４は、一直線状に完全に切り込まれて形成されるものであっても、点線状に断続的に切り込まれて形成されるものであってもよい。なお、切込み４として、点線状に切り込まれたものを採用する場合、患者の鼻の形状、大きさ等に合わせて、点線状の部分に沿って所要長さ分だけ引き裂いて使用される。
【００２７】
＜耳掛け部の説明＞
耳掛け部５，５は、患者の耳に掛けるためのものであって、シート２の両側部にそれぞれ設けられている。
耳掛け部５，５は、シート２における患者の左右の耳に対応する部位に、上下に所定長さの切れ目６，６が設けられることで形成されるものである。
シート２における各切れ目６の両端位置には、一対の円形状の孔７，７が設けられている。これら孔７，７を設けることにより、シート２上における耳掛け部５の位置が一目で分かるという利点がある。
ところで、耳掛け部５を耳に掛け止める際には、切れ目６を広げて挿入口を形成し、この挿入口に耳を入れる操作が行われる。この際、切れ目６の両端には、切れ目６を裂くような応力集中が生じるが、切れ目６の両端位置に一対の孔７，７を設けることにより、かかる応力集中を緩和することができ、切れ目６の端が裂けてしまうのを防ぐことができる。
【００２８】
＜歯科用フェイスカバーの装着方法の説明＞
以上に述べたように構成される歯科用フェイスカバー１の使用の際には、図２に示されるように、切込み４が設けられている側を患者の顔面の上側にして、患者の口に開口部３が、患者の鼻筋に切込み４がそれぞれ対応するように、シート２を患者の顔の上に載せる。次いで、切れ目６を広げて挿入口を形成し、この挿入口に耳を入れて耳掛け部５を耳に掛け止める。こうして、患者の顔面への歯科用フェイスカバー１の装着が完了する。
【００２９】
＜第１の実施形態の歯科用フェイスカバーの作用効果の説明＞
上記の装着方法にて患者の顔面に装着された歯科用フェイスカバー１により、患者の顔面は口を除くほぼ全面がシート２によって覆われる。患者の顔面を覆うシート２には、患者の鼻に対応する部位に、開口部３から鼻筋に沿うように所定長さの切込み４が設けられているので、シート２を顔の上に載せると、シート２における切込み４の両側部分が、鼻の形状に合わせて撓み、鼻の表面に密着する。
本考案の歯科用フェイスカバー１によれば、患者の顔面の口を除くほぼ全面がシート２によって覆われるので、開口部３を通して歯科治療が行われる際に発生する水分や粉塵等が患者の顔面に付着するのを十分に防ぐことができる。また、シート２における切込み４の両側部分が鼻に掛け止められるので、患者の顔からのずれを抑えることができる。
【００３０】
〔第２の実施形態〕
図３には、本考案の第２の実施形態に係る歯科用フェイスカバーの平面図が示されている。なお、この第２の実施形態において、第１の実施形態と同一または同様のものについては図に同一符号を付すに留めてその詳細な説明を省略することとし、以下においては第１の実施形態と異なる点を中心に説明することとする。
【００３１】
＜第２の実施形態の歯科用フェイスカバーの概略説明＞
第２の実施形態の歯科用フェイスカバー１Ａにおいては、耳掛け部５Ａ，５Ａが、シート２における患者の耳に対応する部位に、上部が下部に比べて幅が広い長孔８，８が設けられることで形成されている。それ以外の構成については、第１の実施形態の歯科用フェイスカバー１と同じである。
【００３２】
＜第２の実施形態の歯科用フェイスカバーの作用効果の説明＞
第２の実施形態の歯科用フェイスカバー１Ａによれば、第１の実施形態の歯科用フェイスカバー１と同様の作用効果を得ることができるのは言うまでもない。さらに、第２の実施形態の歯科用フェイスカバー１Ａによれば、耳掛け部５Ａを形成するための長孔８の上部の横幅が下部の横幅よりも広くされているので、耳掛け部５Ａを容易に耳に掛け止めることができる。また、長孔８の形を見ることにより、長孔８の幅の広い側の方が上であるといった具合に、シート２の上下方向を容易に判断することができる。
【００３３】
以上、本考案の歯科用フェイスカバーについて、複数の実施形態に基づいて説明したが、本考案は上記実施形態に記載した構成に限定されるものではなく、各実施形態に記載した構成を適宜組み合わせる等、その趣旨を逸脱しない範囲において適宜その構成を変更することができるものである。
【００３４】
各実施形態の歯科用フェイスカバー１，１Ａにおいて、上下に対称な形状に形成することにより、患者の顔面にシート２を被せる際、シート２の上側と下側のかけ間違えを気にすることなく使用することができる。
各実施形態の歯科用フェイスカバー１，１Ａと、歯科治療の際に胴部に被せられる前掛けとを一体的に構成してもよい。
【産業上の利用可能性】
【００３５】
本考案の歯科用フェイスカバーは、治療の際に発生する水分や粉塵等が患者顔面に付着するのを十分に防ぐことができ、しかも患者の顔からのずれを抑えることができるという特性を有していることから、歯科治療の際の顔面汚染の防具の用途に好適に用いることができる。
【符号の説明】
【００３６】
１，１Ａ      歯科用フェイスカバー
２            シート
３            開口部
４            切込み
５，５Ａ      耳掛け部
６            切れ目
７            孔
８            長孔
【図１】
0003167636.tif 000003
【図２】
0003167636.tif 000004
【図３】
0003167636.tif 000005
【図４】
0003167636.tif 000006